(57)【要約】【課題】  各ＲＦＩＤタグに固有な識別番号を有効に活用して利便性のある印刷処理ができる画像情報装置を提供する。【解決手段】  画像読み取り手段と、ＲＦＩＤタグ読み取り手段と、画像読み取り手段により読み取られた画像を、ＲＦＩＤタグ読み取り手段により読み取られたＲＦＩＤタグ情報に基づいた印刷モードで印刷する印刷手段とを備えた画像情報装置において、原稿読み取り時に複数ページの原稿の各ＲＦＩＤタグ情報から取得した各識別番号（タグＩＤ）に過不足なく一致する識別番号セットが登録されているか否かを判定し、一致する識別番号セットが登録されていなかったならば、そのとき読み取った識別番号セットを、印刷順がそのときの読み込み順である印刷順序データとして登録し、一致する識別番号セットが登録されていたならば、そのときの印刷ジョブの各ページの読み取り順に関わらず印刷順序を登録されている当該印刷順序データの順に設定し、その順に印刷する構成にした。【選択図】  図５
2005319672.tif 000002
【特許請求の範囲】
【請求項１】
原稿用紙上の画像を読み取る画像読み取り手段と、ＲＦＩＤタグ情報を読み取るＲＦＩＤタグ読み取り手段と、前記画像読み取り手段により読み取られた画像を、前記ＲＦＩＤタグ読み取り手段により読み取られたＲＦＩＤタグ情報に基づいて自動的に設定した印刷モードにより印刷用紙上に印刷する印刷手段とを備えた画像情報装置において、前記ＲＦＩＤタグ情報中に固有の識別番号を有する構成とし、１つの印刷ジョブに属する各ページに対応した複数の識別番号の組であり印刷順に並べた印刷順序データである識別番号セットを複数登録しておく記憶手段と、原稿読み取り時に複数ページの原稿用紙のそれぞれから読み取った各識別番号に過不足なく一致する識別番号セットが前記記憶手段に登録されているか否かを判定する判定手段と、その判定手段により一致する識別番号セットが登録されていないと判定されたとき、そのとき読み取った識別番号セットを、印刷順がそのときの読み込み順である印刷順序データとして前記記憶手段に登録する登録手段と、前記判定手段により一致する識別番号セットが登録されていると判定されたとき、そのときの印刷ジョブの各ページの読み取り順に関わらず印刷順序を当該印刷順序データの順に設定する印刷順設定手段とを備え、その印刷順設定手段により設定された印刷順序で前記各ページを印刷するように前記印刷手段を構成したことを特徴とする画像情報装置。
【請求項２】
請求項１記載の画像情報装置において、前記ＲＦＩＤタグ情報から取得した識別番号セットを前記記憶手段に登録するか否かを設定する登録有効性設定手段を備え、前記ＲＦＩＤタグ情報から取得した識別番号セットが登録されていなかった場合、前記登録有効性設定手段による設定状態に応じて当該識別番号セットを前記記憶手段に登録する構成にしたことを特徴とする画像情報装置。
【請求項３】
請求項１または請求項２記載の画像情報装置において、前記印刷順序データの順に並べ替えて印刷するか否かを設定する並べ替え有効性設定手段を備え、前記ＲＦＩＤタグ情報を取得したとき、取得した識別番号セットが登録されていた場合、前記並べ替え有効性設定手段による設定状態に応じて並べ替えを行う構成にしたことを特徴とする画像情報装置。
【請求項４】
請求項１、請求項２、または請求項３記載の画像情報装置において、印刷順序を当該印刷順序データの逆順に設定するように前記印刷順設定手段を構成したことを特徴とする画像情報装置。
【請求項５】
請求項１乃至請求項４のいずれか１項に記載の画像情報装置において、登録されている前記印刷順序データを編集可能な構成にしたことを特徴とする画像情報装置。
【請求項６】
請求項５記載の画像情報装置において、前記印刷順序データの編集内容が印刷順序データ中からの一部識別番号の削除、他の識別番号の印刷順序データへの挿入、または印刷順序データ中の識別番号の順番の入れ替えであることを特徴とする画像情報装置。
【請求項７】
請求項１乃至請求項６のいずれか１項に記載の画像情報装置において、画像読み取り手段により読み込んだ画像データを識別番号に対応づけて保存しておく画像記憶手段を備えたことを特徴とする画像情報装置。
【請求項８】
請求項７記載の画像情報装置において、保存された前記画像データを編集可能な構成にしたことを特徴とする画像情報装置。
【請求項９】
請求項８記載の画像情報装置において、編集内容が、回転、画像合成、色変更、倍率変更、または画像透かしのいずれかを含む構成にしたことを特徴とする画像情報装置。
【請求項１０】
請求項７、請求項８、または請求項９記載の画像情報装置において、ＲＦＩＤタグ付きの手差し印刷用紙を給紙する手差し給紙手段を備え、その手差し給紙手段による手差し印刷用紙搬送時、１枚または複数枚の手差し印刷用紙からＲＦＩＤタグ情報を読み取って識別番号セットを取得したとき、取得した識別番号に対応した画像データを前記画像記憶手段から読み出し、その画像データを対応する手差し印刷用に印刷する構成にしたことを特徴とする画像情報装置。
【請求項１１】
請求項１乃至請求項１０のいずれか１項に記載の画像情報装置において、取得した前記識別番号セットまたは個々の識別番号に対応づけて累積印刷部数または印刷回数を前記記憶手段に記憶させることにより各識別番号セットまたは各識別番号に対応した文書の印刷部数または印刷回数を管理する構成にしたことを特徴とする画像情報装置。
【請求項１２】
請求項１１記載の画像情報装置において、同機能を持った他の画像情報装置またはホストコンピュータと通信する通信インタフェースを備え、その通信インタフェースを介して通信することにより前記印刷部数または印刷回数を前記画像情報装置との間で共有管理する構成にしたことを特徴とする画像情報装置。
【請求項１３】
請求項１乃至請求項１２のいずれか１項に記載の画像情報装置において、紙搬送経路上に配置された紙検知手段を備え、その紙検知手段により用紙が検知されたとき前記ＲＦＩＤタグ情報を有効とする構成にしたことを特徴とする画像情報装置。
【請求項１４】
請求項１３記載の画像情報装置において、前記紙検知手段により用紙が検知されたとき前記ＲＦＩＤタグ情報を取得するモードと、前記紙検知手段により用紙が検知されたか否かに関係なく前記ＲＦＩＤタグ情報を取得するモードとを切り替える切替え手段を備えたことを特徴とする画像情報装置。
【請求項１５】
請求項１乃至請求項１４のいずれか１項に記載の画像情報装置において、当該画像情報装置の所定の部分が開口していることを検知する開口検知手段を備え、その開口検知手段により開口状態が検知されていないとき、前記ＲＦＩＤタグ情報を取得する構成にしたことを特徴とする画像情報装置。
【請求項１６】
請求項１５記載の画像情報装置において、前記所定の部分が、画像読み取りユニット部、給紙トレイ部、排紙トレイ部、本体の保守用開口部、または周辺装置の保守用開口部のいずれかを含むことを特徴とする画像情報装置。
【請求項１７】
請求項１乃至請求項１６のいずれか１項に記載の画像情報装置において、手動印刷モード設定と自動印刷モード設定のいずれかを選択する選択手段を備え、前記画像形成手段はその選択手段により前記自動印刷モード設定が選択されているときに前記ＲＦＩＤタグ情報に基づいてジョブ単位の印刷を行う構成であることを特徴とする画像情報装置。
【発明の詳細な説明】
【技術分野】
【０００１】
本発明は、複写機など印刷用紙上に画像を形成することができる画像情報装置に係り、特に、ＲＦＩＤ（Radio Frequency IDentification）タグ情報を読み取ることができる画像情報装置に関する。
【背景技術】
【０００２】
従来、一般には、複写機など画像情報装置では、印刷用紙に文字、記号、図表、画像などを印字・印刷するのみで、印刷用紙の紙サイズ、紙種別、印刷用紙の印刷可能サイズ、印刷用紙の形状、印刷用紙ごとの固有シリアル番号などを自動的に取得し、その取得情報に基づいて印刷設定内容を自動設定したり、その取得情報を基に印刷処理内容を変更したり、その取得情報や印刷設定内容を、視覚・聴覚・触覚を利用して利用者に通知したりすることができなかった。
それに対して、近年の特許文献に示された従来技術では、印刷用紙に紙質情報を有するＲＦＩＤタグやチップを付し、その紙質情報に基づいて印刷モード設定を行うことができる。なお、ＲＦＩＤタグとは、メモリ、メモリ制御回路、データ送受信回路（アンテナ回路を介してデータを送受信する）、および電源回路（アンテナ回路で受信した電磁波を電力に変換する）を持った回路群で構成される。このような回路群を例えば薄膜技術を用いて用紙上に実現するのである。以下、前記特許文献に示された従来技術を説明する。
まず、特許文献１だが、この従来技術の印刷装置では、パーソナルコンピュータなどから渡されたデータ中に印刷用紙上のＲＦＩＤタグに書き込むデータが含まれていたとき、ＲＦＩＤタグ付き印刷用紙を供給させ、その印刷用紙のＲＦＩＤタグにＲＦＩＤタグデータを書き込むとともに、そのタグデータを可視化した文字や図形なども書き込む。
また、特許文献２に示された印刷装置では、パーソナルコンピュータと接続された印刷装置において、印刷用紙に紙質情報を記憶させたＩＤ（識別符号）チップを装着し、そのＩＤチップから紙質ＩＤ情報を取得し、その紙質ＩＤ情報に基づいて印刷装置の印刷設定内容を自動的に設定している。
【特許文献１】特開２００２−３３７４２６公報
【特許文献２】特開２００３−５４０７５公報
【発明の開示】
【発明が解決しようとする課題】
【０００３】
しかしながら、特許文献１および特許文献２に示された従来技術では、前記したように、ＲＦＩＤタグ情報として取得できる印刷関連情報は紙質情報に限定されていたし、シリアル番号など各ＲＦＩＤタグに固有な識別番号を有効に活用していなかった。例えば、そのシリアル番号を用いて所望の印刷順序を画像情報装置内に保存しておき、再印刷時には保存した所望の印刷順序で印刷するというようなことは行われていなかった。
本発明の目的は、このような従来技術の状況を鑑みたものであり、具体的には、シリアル番号やアドレス番号など各ＲＦＩＤタグに固有な識別番号を有効に活用して、利便性のある印刷処理ができる画像情報装置を提供することにある。
【課題を解決するための手段】
【０００４】
前記した課題を解決するために、請求項１記載の発明では、原稿用紙上の画像を読み取る画像読み取り手段と、ＲＦＩＤタグ情報を読み取るＲＦＩＤタグ読み取り手段と、前記画像読み取り手段により読み取られた画像を、前記ＲＦＩＤタグ読み取り手段により読み取られたＲＦＩＤタグ情報に基づいて自動的に設定した印刷モードにより印刷用紙上に印刷する印刷手段とを備えた画像情報装置において、前記ＲＦＩＤタグ情報中に固有の識別番号を有する構成とし、１つの印刷ジョブに属する各ページに対応した複数の識別番号の組であり印刷順に並べた印刷順序データである識別番号セットを複数登録しておく記憶手段と、原稿読み取り時に複数ページの原稿用紙のそれぞれから読み取った各識別番号に過不足なく一致する識別番号セットが前記記憶手段に登録されているか否かを判定する判定手段と、その判定手段により一致する識別番号セットが登録されていないと判定されたとき、そのとき読み取った識別番号セットを、印刷順がそのときの読み込み順である印刷順序データとして前記記憶手段に登録する登録手段と、前記判定手段により一致する識別番号セットが登録されていると判定されたとき、そのときの印刷ジョブの各ページの読み取り順に関わらず印刷順序を当該印刷順序データの順に設定する印刷順設定手段とを備え、その印刷順設定手段により設定された印刷順序で前記各ページを印刷するように前記印刷手段を構成した。
また、請求項２記載の発明では、請求項１記載の発明において、前記ＲＦＩＤタグ情報から取得した識別番号セットを前記記憶手段に登録するか否かを設定する登録有効性設定手段を備え、前記ＲＦＩＤタグ情報から取得した当該識別番号セットが登録されていなかった場合、前記登録有効性設定手段による設定状態に応じてその識別番号セットを前記記憶手段に登録する構成にした。
また、請求項３記載の発明では、請求項１または請求項２記載の発明において、前記印刷順序データの順に並べ替えて印刷するか否かを設定する並べ替え有効性設定手段を備え、前記ＲＦＩＤタグ情報を取得したとき、取得した識別番号セットが登録されていた場合、前記並べ替え有効性設定手段による設定状態に応じて並べ替えを行う構成にした。
【０００５】
また、請求項４記載の発明では、請求項１、請求項２、または請求項３記載の発明において、印刷順序を当該印刷順序データの逆順に設定するように前記印刷順設定手段を構成した。
また、請求項５記載の発明では、請求項１乃至請求項４のいずれか１項に記載の発明において、登録されている前記印刷順序データを編集可能な構成にした。
また、請求項６記載の発明では、請求項５記載の発明において、前記印刷順序データの編集内容が印刷順序データ中からの一部識別番号の削除、他の識別番号の印刷順序データへの挿入、または印刷順序データ中の識別番号の順番の入れ替えである構成にした。
また、請求項７記載の発明では、請求項１乃至請求項６のいずれか１項に記載の発明において、画像読み取り手段により読み込んだ画像データを識別番号に対応づけて保存しておく画像記憶手段を備えた。
また、請求項８記載の発明では、請求項７記載の発明において、保存された前記画像データを編集可能な構成にした。
また、請求項９記載の発明では、請求項８記載の発明において、編集内容が、回転、画像合成、色変更、倍率変更、または画像透かしのいずれかを含む構成にした。
また、請求項１０記載の発明では、請求項７、請求項８、または請求項９記載の発明において、ＲＦＩＤタグ付きの手差し印刷用紙を給紙する手差し給紙手段を備え、その手差し給紙手段による手差し印刷用紙搬送時、１枚または複数枚の手差し印刷用紙からＲＦＩＤタグ情報を読み取って識別番号セットを取得したとき、取得した識別番号に対応した画像データを前記画像記憶手段から読み出し、その画像データを対応する手差し印刷用に印刷する構成にした。
【０００６】
また、請求項１１記載の発明では、請求項１乃至請求項１０のいずれか１項に記載の発明において、取得した前記識別番号セットまたは個々の識別番号に対応づけて累積印刷部数または印刷回数を前記記憶手段に記憶させることにより各識別番号セットまたは各識別番号に対応した文書の印刷部数または印刷回数を管理する構成にした。
また、請求項１２記載の発明では、請求項１１記載の発明において、同機能を持った他の画像情報装置またはホストコンピュータと通信する通信インタフェースを備え、その通信インタフェースを介して通信することにより前記印刷部数または印刷回数を前記画像情報装置との間で共有管理する構成にした。
また、請求項１３記載の発明では、請求項１乃至請求項１２のいずれか１項に記載の画像情報装置において、紙搬送経路上に配置された紙検知手段を備え、その紙検知手段により用紙が検知されたとき前記ＲＦＩＤタグ情報を有効とする構成にした。
また、請求項１４記載の発明では、請求項１３記載の発明において、前記紙検知手段により用紙が検知されたとき前記ＲＦＩＤタグ情報を取得するモードと、前記紙検知手段により用紙が検知されたか否かに関係なく前記ＲＦＩＤタグ情報を取得するモードとを切り替える切替え手段を備えた。
また、請求項１５記載の発明では、請求項１乃至請求項１４のいずれか１項に記載の発明において、当該画像情報装置の所定の部分が開口していることを検知する開口検知手段を備え、その開口検知手段により開口状態が検知されていないとき、前記ＲＦＩＤタグ情報を取得する構成にした。
また、請求項１６記載の発明では、請求項１５記載の発明において、前記所定の部分が、画像読み取りユニット部、給紙トレイ部、排紙トレイ部、本体の保守用開口部、または周辺装置の保守用開口部のいずれかを含む構成にした。
また、請求項１７記載の発明では、請求項１乃至請求項１６のいずれか１項に記載の発明において、手動印刷モード設定と自動印刷モード設定のいずれかを選択する選択手段を備え、前記画像形成手段はその選択手段により前記自動印刷モード設定が選択されているときに前記ＲＦＩＤタグ情報に基づいてジョブ単位の印刷を行う構成にした。
【発明の効果】
【０００７】
本発明によれば、請求項１記載の発明では、原稿読み取り時に複数ページの原稿用紙のそれぞれのＲＦＩＤタグ情報から取得した各識別番号に過不足なく一致する識別番号セットが登録されているか否かを判定し、一致する識別番号セットが登録されていないと判定されたならば、そのとき読み取った識別番号セットを、印刷順がそのときの読み込み順である印刷順序データとして登録し、一致する識別番号セットが登録されていると判定されたならば、そのときの印刷ジョブの各ページの読み取り順に係らず印刷順序を登録されている当該印刷順序データの順に設定し、設定された印刷順序で各ページを印刷できるので、再印刷時、例えば複数枚の原稿をセットする際に重ね順を誤っても正しい印刷順序で印刷することができる。
また、請求項２記載の発明では、請求項１記載の発明において、ＲＦＩＤタグ情報から取得した識別番号セットを登録するか否かを設定する登録有効性設定手段を備え、ＲＦＩＤタグ情報から取得した識別番号セットが登録されていなかった場合でも、登録有効性設定手段による設定が有効状態でないならばその識別番号セットを登録しないので、利用者が登録を欲しないならば、それも可能である。
また、請求項３記載の発明では、請求項１または請求項２記載の発明において、印刷順序データの順に並べ替えて印刷するか否かを設定する並べ替え有効性設定手段を備え、ＲＦＩＤタグ情報を取得したとき、取得した識別番号セットが登録されていた場合でも、並べ替え有効性設定手段による設定が有効状態でなければ並べ替えを行わないので、利用者が並べ替えを欲しないならば、それも可能である。
また、請求項４記載の発明では、請求項１、請求項２、または請求項３記載の発明において、印刷順序を当該印刷順序データの逆順に設定できるので、逆順印刷を行いたい場合でもセットする原稿を逆順にする必要がない。
また、請求項５記載の発明では、請求項１乃至請求項４のいずれか１項に記載の発明において、登録されている印刷順序データを編集できるので、利用者は印刷順序データの内容を変更したいと思うならば、変更することができる。
【０００８】
また、請求項６記載の発明では、請求項５記載の発明において、印刷順序データの編集内容が印刷順序データ中からの一部識別番号の削除、他の識別番号の印刷順序データへの挿入、または印刷順序データ中の識別番号の順番の入れ替えであるので、利用者は印刷順序データ中からの一部識別番号の削除、他の識別番号の印刷順序データへの挿入、または印刷順序データ中の識別番号の順番の入れ替えを行いたいと思うならば、そうすることができる。
また、請求項７記載の発明では、請求項１乃至請求項６のいずれか１項に記載の発明において、読み込んだ画像データを識別番号に対応づけて保存しておくことができるので、例えば、再印刷する場合、ＲＦＩＤタグ付きの手差し印刷用紙を用いたりすることにより原稿を読み込まなくても登録された印刷順序で印刷することができる。
また、請求項８記載の発明では、請求項７記載の発明において、保存された画像データを編集できるので、利用者が望むならば、再印刷時には編集した画像を印刷できる。
また、請求項９記載の発明では、請求項８記載の発明において、編集内容が、回転、画像合成、色変更、倍率変更、または画像透かしのいずれかを含むので、利用者が望むならば、再印刷時にはそのような編集を施した画像を印刷できる。
また、請求項１０記載の発明では、請求項７、請求項８、または請求項９記載の発明において、手差し印刷用紙搬送時、１枚または複数枚の手差し印刷用紙からＲＦＩＤタグ情報を読み取って識別番号セットを取得したとき、取得した識別番号に対応した画像データを画像記憶手段から読み出し、その画像データを対応する手差し印刷用に印刷できるので、例えば所定の用紙を手差し給紙することにより、原稿を読み込まなくてもその所定の用紙に所望の印刷を行うことができる。
【０００９】
また、請求項１１記載の発明では、請求項１乃至請求項１０のいずれか１項に記載の発明において、取得した識別番号セットまたは個々の識別番号に対応づけて累積印刷部数または印刷回数を記憶させることにより各識別番号セットまたは各識別番号に対応した文書の印刷部数または印刷回数を管理できるので、例えば所定の累積印刷部数または印刷回数以内に印刷を抑制することにより文書の機密管理を行うことができる。
また、請求項１２記載の発明では、請求項１１記載の発明において、同機能を持った他の画像情報装置またはホストコンピュータと通信する通信インタフェースを備え、その通信インタフェースを介して通信することにより印刷部数または印刷回数を画像情報装置との間で共有管理することができるので、さらに効果的に文書の機密管理を行うことができる。
また、請求項１３記載の発明では、請求項１乃至請求項１２のいずれか１項に記載の発明において、紙搬送経路上に配置された紙検知手段により用紙が検知されたときのみＲＦＩＤタグ情報が有効となるので、用紙がＲＦＩＤタグ読み取り装置の位置まで来ないうちに読み取りが行われるのを回避でき、したがって、ＲＦＩＤタグ情報を正しく読み取ることができる。
また、請求項１４記載の発明では、請求項１３記載の発明において、用紙が検知されたときのみＲＦＩＤタグ情報を取得するモードと、用紙が検知されたか否かに関係なくＲＦＩＤタグ情報を取得するモードとを切り替えることができるので、例えば通常は前者のモードで動作させ、当該画像情報装置の開発時や保守の際などにおいては必要に応じて後者のモードで動作させて紙検知が機能しない状態でもＲＦＩＤタグとの通信を行わせるというような使い方が可能になる。
また、請求項１５記載の発明では、請求項１乃至請求項１４のいずれか１項に記載の発明において、当該画像情報装置の所定の部分が開口しているときには、ＲＦＩＤタグ情報を取得しないで印刷するモードが自動的に選択されるので、例えば当該画像情報装置の開発時や保守の際などに開口部を開放した状態で作業している場合は、ＲＦＩＤタグ情報を読み取らずに印刷するモードが自動的に選択され、したがって、作業しやすい環境を手を煩わせずにつくることができる。
【００１０】
また、請求項１６記載の発明では、請求項１５記載の発明において、所定の部分が、画像読み取りユニット部、給紙トレイ部、排紙トレイ部、本体の保守用開口部、または周辺装置の保守用開口部のいずれかを含むので、それらのいずれかが開放されている場合にはＲＦＩＤタグ情報を読み取らずに印刷するモードが自動的に選択される。
また、請求項１７記載の発明では、請求項１乃至請求項１６のいずれか１項に記載の発明において、手動印刷モード設定と自動印刷モード設定のいずれかを選択する選択手段を備え、その選択手段により自動印刷モード設定が選択されているときにＲＦＩＤタグ情報に基づいて印刷を行うので、利用者は状況に応じて所望の印刷モード設定を選択することにより、ＲＦＩＤタグ情報によった印刷を行うこともできるし、手動設定によった印刷を行うこともできる。
【発明を実施するための最良の形態】
【００１１】
この実施形態の画像処理装置では、ＲＦＩＤタグ付きの原稿用紙、または印刷用紙（転写紙）を使用し、装置にはＲＦＩＤタグ読み取り手段を備えている。また、ボタンやタッチパネルなど入力手段、ＬＥＤ、ＬＣＤ、ＣＲＴなど表示手段を持つ操作パネルを備えている。無線通信を利用して、ＰＤＡ、携帯電話機、携帯型コンピュータ、リモートコントローラ、ネットワーク家電製品といった他の装置の操作手段を使って当該画像情報装置を制御する構成や、有線・無線ネットワークに接続されたホストコンピュータを使って当該画像情報装置を制御する構成も可能である。
また、ＲＦＩＤタグ情報は原稿用紙や印刷用紙が原稿台・給紙トレイに載置され静止している状態で検知するのでなく、原稿用紙搬送中、または印刷用紙搬送中に行われるように構成しており、そのため、単一のＲＦＩＤ読み取り手段により用紙上のＲＦＩＤタグ情報を読み取ることができる。
また、ＲＦＩＤタグ付き紙と付いていない紙が混在する場合も考えられるので、綴じ代・トリミング・拡大縮小・印刷速度・カラーモード調整・定着温度設定というような印刷モード設定を操作パネルから手動で設定するモードと、ＲＦＩＤタグ情報に基づいて自動で設定するモードの２モードを備え、ＲＦＩＤタグとそのタグ情報を読み取る読み取り手段間の相互通信が正常に行われたときに、手動設定モードから自動設定モードへ移行するようにしている。
また、ＲＦＩＤタグ情報として、固有のシリアル番号やＩＰｖ６といった固有のアドレス番号など識別番号を持ち、原稿用紙に付したＲＦＩＤタグから固有の識別番号を取得することにより、１文書を構成している各ページの印刷順序を変更可能にしている。
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
この実施形態の画像情報装置は、例えば原稿画像を複写する複写機能、通信回線を介して画像データを送受信するファクシミリ機能、および、外部インタフェースを介して外部装置から供給される画像データに基づいて印刷するプリンタ機能を備えた画像情報装置、つまり複合型デジタル複写機（以下、デジタル複写機または複写機と略称する）として構成される。
【００１２】
図１は、このような複写機の内部構造を概略的に示す断面図である。図１に示したように、この複写機（この例では電子写真式デジタル複写機）５０は、原稿画像を読み取って画像データを生成する画像読み取り手段として機能するスキャナ部（画像読み取り部）５０ａ、および画像データに基づいて画像を形成する印刷手段として機能するプリンタ部（画像形成部）５０ｂを備えている。また、複写機５０は、このスキャナ部５０ａの上部に、スキャナ部５０ａを構成している原稿テーブル（原稿台）に対して開閉可能に形成されて読み取り対象の原稿Ｄを原稿台に向けて１枚ずつ給送するとともに、原稿台に載置された原稿Ｄを原稿台に密着させる原稿押さえとしても機能する搬送手段としての原稿自動給送装置５１を備えている。
また、スキャナ部５０ａは、その上部で、閉じた状態にある原稿自動給送装置５１に対向するとともに、原稿Ｄがセットされる透明なガラスからなる原稿テーブル５２、およびその原稿テーブル５２の一端に配置されるとともに原稿テーブル５２に原稿Ｄをセットすべき位置を示す原稿スケール５３を備えている。
その原稿テーブル５２の下方には、原稿テーブル５２に載置された原稿Ｄを照明する露光ランプ５４、その露光ランプ５４からの光ビームを原稿Ｄに集光させるための補助反射板５８、および原稿Ｄからの反射ビームを図中左方向に折曲げる第１ミラー５６などを配置している。露光ランプ５４、補助反射板５８、および第１ミラー５６は、第１キャリッジ５７に固定されており、第１キャリッジ５７の移動にともなって原稿テーブル５２と平行に移動可能に配置されている。なお、第１キャリッジ５７は、図示しない歯付きベルトなどを介して図示しないパルスモータの駆動力が伝達されて、原稿テーブル５２に沿って平行に移動する。
原稿テーブル５２の図中左方、つまり第１ミラー５６により反射された反射ビームが案内される方向には、第２キャリッジ５９が配設されている。その第２キャリッジ５９には、第１ミラー５６により案内される原稿Ｄからの反射ビームを下方に折曲げる第２ミラー６０、および図中右方に折り曲げる第３ミラー６１が互いに直角に配置されている。第２キャリッジ５９は、第１キャリッジ５７を駆動する図示しない歯付きベルトなどにより第１キャリッジ５７に従動されるとともに、第１キャリッジ５７に対して１／２の速度で原稿テーブル５２に沿って平行に移動する。
【００１３】
第１キャリッジ５７の下方であって、第２キャリッジ５９を介して折返されたビームの光軸を含む面内には、第２キャリッジ５９からの反射ビームを所定の倍率で結像させる結像レンズ６２、および結像レンズ６２により集束性が与えられた反射ビームを電気信号（画像データ）に変換する複数のＣＣＤイメージセンサからなるイメージセンサ（ラインセンサ）１００が配置されている。なお、ここでは、イメージセンサ１００として複数のＣＣＤイメージセンサが配列されている方向を主走査方向と呼び、第１キャリッジ５７および第２キャリッジ５９が移動する方向を副走査方向と呼ぶ。また、この読み取り装置部分は、スキャナ部５０ａを固定させ、原稿自動給送装置５１により原稿を搬送させながら画像を読み取る、シートスルータイプの画像読み取り構成でも可能である。
一方、プリンタ部５０ｂでは、画像メモリに記憶された画像データに従って画像を形成し出力する。具体的には、感光体ドラム１２を矢示方向に回転させると同時に、その感光体ドラム１２上に付着した残留トナーおよび不均一な電位が帯電チャージャ１３および現像ユニット１４、１５に到達しないように、除電ランプ（ＱＬ）１６、転写前除電ランプ（ＰＴＬ）１７、転写チャージャ１８、分離チャージャ１９、イレーサ２０、およびクリーニングユニット２１を駆動して、除電ランプ１６を通過した後の感光体ドラム１２の表面電位が略ゼロになるようにする。
その後、感光体ドラム１２の表面を帯電チャージャ１３により一様に帯電するとともに、画像メモリに記憶された画像データを読み出して、それに応じて図示しない半導体レーザからレーザ光を射出させる。半導体レーザから射出されるレーザ光は、図示しないシリンダレンズによって集光されて回転走査するポリゴンミラー２２に入射し、その反射光が光学系（レンズ）２３およびミラー２４を介して感光体ドラム１２の表面を照射して静電潜像を形成する。
【００１４】
次いで、感光体ドラム１２上に形成された潜像の電荷のうち、非画像部（画像作成領域からはみ出した不要部分）の電荷をイレーサ２０により除去した後、黒トナーにより現像を行う黒現像ユニット１４あるいはカラートナーにより現像を行うカラー現像ユニット１５よりトナーを付着して可視像化する。このとき、現像バイアス電位を変化させることにより画像の濃淡を調整することができる。
他方、給紙クラッチを選択的にＯＮにして呼出コロ２５および３個の給紙コロ２６のいずれかを駆動し、予め選択された給紙段（後述する）にセットされている転写紙（印刷用紙）を停止中のレジストローラ対２７に向けて給紙させる。そのレジストローラ対２７の手前にはレジストセンサ２８（例えば反射型フォトセンサ）が配設されており、その対向位置に転写紙の先端が到達するとレジストセンサ２８がＯＮ状態になる。その時点から所定時間経過後に給紙クラッチをＯＦＦ状態に戻して搬送中の転写紙を停止させる。なお、給紙クラッチのＯＦＦタイミングは、レジストセンサ２８とレジストローラ対２７の間を転写紙が搬送される時間より長くとられている。したがって、その転写紙は先端がレジストローラ対２７に付き当たり先端側にたわみを生じた状態で待機する。
その後、感光体ドラム１２上に形成されているトナー像の先端に合わせたタイミングでレジストクラッチをＯＮ状態にし、それによってレジストローラ対２７を回転駆動して待機中の転写紙を転写部へ向けて再搬送する。そして、その転写紙が転写部に到達すると、転写チャージャ１８の作用により感光体ドラム１２上のトナー像をその紙面上に転写し、続いて、分離チャージャ１９の作用により紙面上の帯電電位を下げて転写紙と感光体ドラム１２との密着力を低下させた後、分離爪２９によりその転写紙を感光体面から分離する。
次いで、その転写紙を２個のローラで張装された搬送ベルト３０により定着部へ送り、その定着ローラ３１によってトナー像を熱定着し、その後、コピーモードとして片面モードが選択されていれば切替え爪３２の上側を通して外部の図示しない排紙トレイに排紙し、両面モードが選択されていれば切替え爪３２の切り替えによって下側の再給紙用搬送経路３３ヘ送り込む。
なお、画像転写後の感光体ドラム１２上の残留トナーはクリーニングユニット２１を構成するクリーニングブラシ２１ａ、クリーニングブレード２１ｂにより除去してトナー回収タンク２１ｃに回収させ、さらに、残存電荷を消去するためにその感光面を除電ランプ１６によって全面露光させる。
【００１５】
ところで、この複写機には、特定サイズの転写紙のみをまとめて収納できる給紙カセットとして、それぞれ異なるサイズの転写紙をセットした３つの給紙カセット３４〜３６を着脱可能に備え、また、そのいずれの給紙カセットにも収納されていない転写紙、つまり不特定サイズの転写紙をセットできる手差しテーブル（手差しトレイ）３７も備えている。そして、各給紙カセット３４〜３６のいずれかに収納されている転写紙を用いてコピーする場合は、そのカセットサイズを図示しない操作パネル上のサイズ選択キーによって選択した後、コピースタートキーを押下することにより、その給紙カセットから転写紙を給紙する。
なお、各給紙カセット３４〜３６の各収納用紙サイズを検知するためのサイズ検知センサ３８ａ〜３８ｃ（例えば５連のフォトインタラプタ）を備え、さらに、各給紙カセット３４〜３６の先端部には、それぞれ図示しないサイズ識別用の遮光板が付設されている。この遮光板はカセット内に収納されるべき転写紙のサイズごとに異なる切欠部を有している。サイズ検知センサ３８ａ〜３８ｃは、給紙カセット３４〜３６が装着されると、その遮光板の遮光部を挟んだフォトインタラプタのみが光路を遮断されるので、それに応じた信号（コード）をそれぞれ後述する制御部へ出力することができる。
【００１６】
一方、不特定サイズの転写紙を用いてコピーする場合には、手差しテーブル３７を仮想線で示す閉じた状態から矢示Ａ方向に開いて実線で示す使用状態にした後、その上面に所望の転写紙をセットして、コピースタートキーを押下することにより、その手差しテーブル３７から転写紙を給紙する。なお、手差しテーブル３７が開く方向に回動すると、第１給紙カセット３４に設けられている転写紙載置用の底板を持ち上げていた底板上昇アーム３９がそれに連動して図１に示した位置まで下降する。また、この複写機の手差しテーブル３７に対向する位置には、その手差しテーブル３７の開閉を検知するための開閉検知センサ３７ａが設置されている。
また、給紙カセット３４〜３６のいずれか、または手差しテーブル３７から給紙された用紙がレジスト位置に到達する前位置に、ＲＦＩＤタグ読み取り装置４０を配置し、用紙に付したＲＦＩＤタグとの間で通信を行う。なお、ＲＦＩＤタグは例えば薄膜技術により実現し、メモリ、メモリ制御回路、アンテナ回路を介してデータを送受信するデータ送受信部、およびアンテナ回路で受信した電磁波を電力に変換する電源回路など、回路群から構成されている。このような構成で、ＲＦＩＤタグ読み取り装置４０が送信電波をＲＦＩＤタグに照射すると、ＲＦＩＤタグのアンテナ回路が制御コマンドを含む電磁波を受信し、受けた電磁波から起電力を発生させ、それにより、ＲＦＩＤ側はＲＦＩＤタグ情報をアンテナ回路により発信し、ＲＦＩＤタグ読み取り装置４０がその情報を読み取る（ＲＦＩＤタグ読み取り装置８０の場合も同様である）。
【００１７】
図２は、このデジタル複写機の制御部の主として画像処理に係わる部分を示す概略ブロック構成図である。図示したように、ビデオ処理回路１０１、画像処理回路１０２、ビデオ書き込み処理回路１０３、ＬＤ制御部１０４、ＣＰＵ１０５、ＲＯＭ１０６、ＲＡＭ１０７、画像メモリ１０８、インタフェース（Ｉ／Ｆ）部１０９、不揮発性メモリ１１３、およびシステムバス１１０を備えている。
前記において、ビデオ処理回路１０１は、スキャナ部５０ａにより読み取った画像データ（イメージセンサ１００から出力される信号）をＡ／Ｄ変換して黒オフセット補正、シェーディング補正、画素位置補正を行う。画像処理回路１０２は、図３に示したように色分離回路１２０、ＭＴＦ補正回路１２１、変倍回路１２２、γ補正回路１２３、および画質処理回路１２４から成り、それらによってビデオ処理回路１０１から入力される画像データに対して画像処理を施す。この処理については、追って詳細に説明する。
ビデオ書き込み処理回路１０３は、画像処理回路１０２から入力される画像データに応じてプリンタ部５０ｂを制御する。ＬＤ制御部１０４は、ビデオ書き込み処理回路１０３からのビデオ信号に応じて半導体レーザであるレーザダイオード（ＬＤ）１１２の発光制御をつかさどる。
ＣＰＵ１０５は、ＲＯＭ１０６内の制御プログラムに従ってこのデジタル複写機全体を統括的に制御する。ＲＯＭ１０６は、ＣＰＵ１０５を動作させるための制御プログラムを含む各種固定データを格納した読み出し専用のメモリである。ＲＡＭ１０７は、ＣＰＵ１０５がデータ処理の際に一次的に使用する読み書き可能なメモリである。また、不揮発性メモリ１１３には、印刷順序データなどが記憶され、ここに記憶されたデータは電源断時も保存される。なお、ＲＯＭ１０６および不揮発性メモリ１１３の代わりにフラッシュＲＯＭを備え、ＲＯＭ１０６や不揮発性メモリ１１３に記憶させる制御プログラムやデータをすべてフラッシュＲＯＭに記憶させるようにしてもよい。
画像メモリ１０８は、画像処理回路１０２から送られてくる画像データを記憶する読み書き可能なメモリである。インタフェース部１０９は画像処理回路１０２とシステムバス１１０との間のインタフェースを、システムバス１１０は各回路間のデータのやりとりをそれぞれつかさどる。操作パネル１１１は、この発明に係わる編集内容の指示を含む各種情報を入力する入力部と各種情報を表示する表示部とから成る。
【００１８】
このような構成で、ビデオ処理回路１０１では、イメージセンサ１００によって読み取られたＲ、Ｇ、Ｂの画像信号を増幅し、Ａ／Ｄ変換し、黒オフセット補正、シェーディング補正、画素位置補正を行い、所定のクロックに同期した８ビットのデジタルデータである赤画像データＲＤＴ０〜７、緑画像データＧＤＴ０〜７、青画像データＢＤＴ０〜７として出力する。
ここで、黒オフセット補正とは、イメージセンサ（ＣＣＤ）１００の暗電流の黒レベルを画像データから減算する補正である。シェーディング補正とは、主走査方向の露光ランプ５４の光量むらやイメージセンサ１００の各色用ＣＣＤの画素間の感度差によるむらを除くため、原稿走査開始前に濃度の均一な白板を読み取ってそのデータを画素ごとに記憶し、原稿読み取り中の画像データから、記憶した画素ごとの白板のデータを除算することにより補正を行うものである。また、画素位置補正とは、イメージセンサ１００として各色に対応して３個のＣＣＤを用いた場合、副走査方向の画素の位置ずれ（つまり、色ずれ）があるので、それを補正するものである。
画像処理回路１０２では、ビデオ処理回路１０１から出力されるＲＧＢの画像データＲＤＴ０〜７、ＧＤＴ０〜７、ＢＤＴ０〜７を図３に示した色分離回路１２０で黒画像データＢＬＫＤＴ０〜７から分離する。さらに、その画像データＢＬＫＤＴ０〜７に対してＭＴＦ補正回路１２１がＭＴＦ補正を施し、変倍回路１２２が主走査方向の変倍を行ない、γ補正回路１２３がγ補正を行い、画質処理回路１２４がディザや誤差拡散などの画質処理を行う。なお、ＭＴＦ補正とは、光学的な周波数特性の劣化などを２次元の空間フィルタで補正するものである。こうして、各種の補正がなされた黒画像データＢＬＫＤＴ０〜７はインタフェース部１０９に送られ、黒画像データＢＬＫＤＴ０〜７は画像メモリ１０８に記憶される。
画像データＢＬＫＤＴ０〜７はビデオ書き込み処理回路１０３にも送られ、そこでプリンタ部５０ｂの書き込み速度に対応できるビデオ信号に変換され、ＬＤ制御部１０４に入力され、その画像信号に応じてレーザダイオード１１２に与える電流のパルス幅や電流の量をコントロールし、図１に示した感光体ドラム１２上に光書き込みを行なって静電潜像を形成する。
なお、画像処理回路１０２はメイン制御部のＣＰＵ１０５とアドレスバスおよびデータバスを共有しており、これを介して通信する。ＣＰＵ１０５は、スキャナ部５０ａやプリンタ部５０ｂのモータコントロール、各種クラッチおよびソレノイドのコントロールも行なっている。
【００１９】
原稿自動給送装置５１は、自身の後端縁部が複写機５０の上面後端縁部に図示しないヒンジ装置を介して取付けられたカバー６４を備え、必要に応じて原稿自動給送装置５１全体を回動変位させることで、既に説明したように、原稿テーブル５２に対して開閉可能に形成されている。
カバー６４の上面のやや左方向部位には、所定枚数、例えば５０枚の原稿Ｄを保持することが可能な原稿給紙台６５が設けられている。原稿給紙台６５の図中左方、つまり原稿自動給送装置５１の一端側には、原稿給紙台６５にセットされた原稿Ｄを順次１枚ずつ取出すとともに、図中左端側から原稿テーブル５２の一端側に供給するためのピックアップローラ６７が配置されている。
原稿給紙台６５の所定の位置には、原稿給紙台６５に原稿Ｄがセットされたか否かを検知する検知手段として機能する原稿検知センサであるエンプテイセンサ６６が配設されている。なお、原稿給紙台６５には、原稿テーブル５２に原稿Ｄがセットされた位置を検知する原稿位置検知センサ５５と同様に機能する図示しない原稿幅検知センサが配置されてもよい。
ピックアップローラ６７の原稿取り出し方向には、ピックアップローラ６７により取り出された原稿Ｄを原稿テーブル５２に向けて送出する給紙ローラ６８、および給紙ローラ６８により給送された原稿Ｄの先端を整位するアライニングローラ６９が配置されている。
その給紙ローラ６８とアライニングローラ６９との間には、原稿Ｄのアライニングローラ６９への到達を検出するアライニングセンサ７０が配置されている。また、カバー６４の内側であって、原稿自動給送装置５１が閉じられた状態で原稿テーブル５２との対向位置には、原稿テーブル５２のほぼ全体を覆う大きさが与えられ、ピックアップローラ６７、給紙ローラ６８、およびアライニングローラ６９を介して原稿給紙台６５から搬送された原稿Ｄを原稿テーブル５２の所定の位置に搬送する搬送ベルト７１が配置されている。その搬送ベルト７１は、図中左右一対に配置されたベルトローラ７２に掛け渡され、図示しないベルト駆動機構によって、図中右側および図中左側の両方向に向けて回転する。
【００２０】
原稿自動給送装置５１の右側部位には、搬送ベルト７１により図中左側から図中右側に移動される原稿Ｄをカバー６４の外側に向けて送出する反転ローラ７３、その反転ローラ７３に原稿Ｄを押し付けるピンチローラ７４、反転ローラ７３とピンチローラ７４により搬送される原稿Ｄを、再び搬送ベルト７１へ戻すか所定の排出位置つまりカバー６４上に排出させるかを切り換えるフラッパ７５、そのフラッパ７５が排出側に切り換えられている場合に、反転ローラ７３により搬送された原稿Ｄを排出させる排紙ローラ７６、および反転ローラ７３の近傍における原稿のジャムを検知するジャムセンサ７７などが配置されている。
また、原稿自動給送装置５１内の原稿搬送経路上にはＲＦＩＤタグ読み取り装置８０が配置され、原稿用紙に付したＲＦＩＤタグとの間で原稿搬送中に通信を行う。
【００２１】
また、複写機５０の前面上部には、様々な複写条件および複写開始指示などを入力する操作パネル１１１が設けられている。図４に示したように、操作パネル１１１には、複写を実行させるに際して複写モードを設定する複写ボタン２０２、ファクシミリ通信を実行させるに際してＦＡＸモードを設定するＦＡＸボタン２０４、および印刷（プリント）を実行させるに際してプリンタモードを設定するプリンタボタン２０６が設けられている。
また、操作パネル１１１には、複写モードにおいて複写枚数などの数値を入力するテンキー２０８、複写の開始を指示するスタートボタン２１０、複写枚数を訂正するときや複写動作を停止させるときなどに用いるクリア／ストップボタン２１２、選択したモードや各種設定した条件などをすべてクリアするオールクリアボタン２１４、および複写倍率を設定する倍率設定ボタン２１６が設けられている。スタートボタン２１０は、原稿給紙台６５にセットされた原稿の読み取り開始を指示するとともに、画像データに基づいた画像形成を指示する入力手段として機能する。
さらに、操作パネル１１１には、画像を形成したい用紙のサイズを選択・設定するための用紙サイズボタン２１８、原稿台に載置された原稿のサイズを検知して自動的に用紙サイズを設定する自動用紙選択ボタン２２０、原稿サイズを設定するための原稿サイズボタン２２２、および用紙サイズボタン２１８によって設定された用紙サイズと検知した原稿サイズとに基づいて自動的に複写倍率を設定する自動倍率選択ボタン２２４が設けられている。
これらの各種設定ボタンの他に、さらに、設定されたモードの内容や操作手順などの案内情報を表示させる操作ガイドボタン２２６、予熱状態を設定する予熱ボタン２２８、プリンタ部の動作中に割り込みを指示する割り込みボタン２３０などが設けられている。
そして、この操作パネル１１１のほぼ中央には、装置の状態、操作手順、および利用者に対して各種のメッセージを文字や図形で表示する報知手段として機能するタッチパネル式の液晶表示装置（ＬＣＤ）によって構成された表示パネル２４０が設けられている。この表示パネル２４０は、機能毎にその操作を画面に表示するものである。
表示パネル２４０は、利用者に情報を提供するための上段、中段、下段の３つのエリアからなるメッセージエリアと、基本操作を指定するための「基本」ボタン、編集操作を指定するための「編集」ボタン、拡張操作を指定するための「拡張」ボタン、設定操作を指定するための「指定」ボタンなどのタイトル切り替えボタンが配置されたタイトルエリアと、原稿枚数やコピー枚数などを表示するためのフィールドエリアを有している。そして、基本操作では、通常の複写動作、つまり原稿画像を読み取って原稿画像に対応した画像を用紙上に形成する第１画像形成モードが実行される。編集操作では、特殊な複写動作、つまり原稿画像を読み取って原稿画像を副走査方向に反転させた画像つまり鏡像を用紙上に形成する第２画像形成モードなどを設定することができる。
以下、各実施例について説明する。なお、以下の実施例において、請求項記載のＲＦＩＤタグ読み取り手段がＲＦＩＤ読み取り装置４０やＲＦＩＤ読み取り装置８０などにより実現され、記憶手段が不揮発性メモリ１１３により実現され、判定手段、登録手段、および印刷順設定手段がＣＰＵ１０５により実現される。
【００２２】
「実施例１」
この実施例の画像情報装置では、ＲＦＩＤタグ情報として固有のシリアル番号や固有のアドレス番号（例えばＩＰｖ６）など識別番号を持ち、原稿用紙に付したＲＦＩＤタグから識別番号を含むＲＦＩＤタグ情報を取得することにより、１文書を構成している各ページの印刷順序を変更できるようにしている。以下、図５および図６などによりこの実施例を説明する。なお、図５では、ＲＦＩＤタグを付した原稿用紙は４ページの場合を想定している。
図６に示したように、電源投入後（Ｓ１）、装置内部の初期設定を行い（Ｓ２）、手動印刷モード設定状態に移行する（Ｓ３）。
この後、印刷待機状態となり、その状態において、原稿台６５に原稿用紙を載置し、利用者が操作パネル１１１内のボタンを押下して印刷要求を行うと（Ｓ４でＹｅｓ）、ＣＰＵ１０５の制御により１枚目の原稿用紙先端がピックアップローラ６７および給紙ローラ６８により搬送され（Ｓ５）、ＲＦＩＤタグ読み取り装置８０を通過する。このとき、原稿用紙にＲＦＩＤタグが付されていた場合、ＲＦＩＤタグ読み取り装置８０との間で所定の通信プロトコルによりデータ授受が行われる（Ｓ７）。なお、原稿用紙上のＲＦＩＤタグには、例えば、「画像が写真なので写真モードに設定を変える」旨の情報や、「コピー時に“社外秘”の文字を入れるように設定する」旨の情報など、原稿用紙上の画像に係る印刷モード設定情報が書き込まれている。また、前記した識別番号も書き込まれている。
一方、印刷用紙が給紙ローラ２６により給紙カセット３４〜３７中の指定されたカセットから搬送され（Ｓ６）、その印刷用紙がＲＦＩＤタグ読み取り装置４０を通過すると、印刷用紙にＲＦＩＤタグが付されていた場合、ＲＦＩＤタグ読み取り装置４０との間で所定の通信プロトコルによりデータ授受が行われる（Ｓ７）。なお、印刷用紙上のＲＦＩＤタグには、印刷用紙情報（例えば、紙厚、紙質、両面印刷）などが格納されており、それに基づいて印刷モードを変えたり、厚紙ならば定着温度を上げたりするのである。
こうして、当該複写ジョブ（印刷ジョブ）の例えば原稿用紙４枚について少なくともＲＦＩＤタグ読み取り装置８０が所定のデータ授受に成功すると（Ｓ８でＹｅｓ）、ＣＰＵ１０５は識別情報および印刷モード設定に必要なタグデータをＲＦＩＤタグ情報から取得し（Ｓ９）、取得した印刷モードデータに基づいて印刷モード設定の内容を変更する（Ｓ１０）。
【００２３】
続いて、ＣＰＵ１０５は取得した複数の識別番号である識別番号セットが登録（記憶）されているか否か、つまりその識別番号セットに属する複数の識別番号と過不足なく一致する識別番号セットが不揮発性メモリ１１３に記憶されているか否かを確認し（Ｓ１１）、登録されていなかった場合は（Ｓ１１でＮｏ）、その識別番号セットをそのときの読み取り順に並べた印刷順序データとしてＲＡＭ１０７から不揮発性メモリ１１３に格納・登録する（Ｓ１３）。そして、読み取った画像データをプリンタ部５０ｂへ送り、読み取り順に印刷用紙に印刷する（Ｓ１４）。
それに対して、例えば同一文書を再度印刷する必要があったような場合に、再度スキャナ部５０ａにより画像を読み取るとともに原稿用紙上のＲＦＩＤタグから前記識別番号を読み出し、ＣＰＵ１０５がその識別番号セットを不揮発性メモリ１１３内で検索したとき、既に登録されていたならば（Ｓ１１でＹｅｓ）、読み取った各ページの画像データを登録された印刷順序データの識別番号順に並べ替え（再度読み取った際の順番が同じであればその必要はない）（Ｓ１２）、並べ替えられた印刷順序で画像データを印刷する（Ｓ１４）。
一方、ステップＳ８において、ＲＦＩＤタグ読み取り装置８０が所定のデータ授受に失敗すると（Ｓ８でＮｏ）、読み込んだ順序で手動印刷モードによる印刷を行う（Ｓ１４）。
【００２４】
なお、前記において、ＲＦＩＤタグを原稿用紙のみに付け、ＲＦＩＤタグ読み取り装置８０のみ備える構成も可能である。また、動作フロー図には示していないが、この動作フローが終了した後に、ＣＰＵ１０５は印刷モード設定を手動印刷モード設定状態に戻しておく。
また、前記においては、再印刷時、ＣＰＵ１０５は印刷順序を当該印刷順序データの順に並べたが、逆順に並べる（設定する）構成も可能である。
また、画像記憶手段である画像メモリ１０８をハードディスク記憶装置などを含む構成とし、スキャナ部５０ａにより読み込んだ画像データを識別番号または識別番号セットに対応づけてハードディスク記憶装置に保存しておく構成も可能である。このような構成では、保存された前記画像データに対して回転、画像合成、色変更、倍率変更、または画像透かしといった公知の編集処理を施すこともできる。
また、原稿用紙でなく手差し給紙の印刷用紙（転写紙）にＲＦＩＤタグを付して給紙し、１枚または複数枚の手差し印刷用紙に識別番号に対応づけられた画像データを印刷する構成も可能である。つまり、手差し印刷用紙から識別番号が取得されるたびに画像メモリ１０８からその識別番号に対応した画像データを読み出し、その画像データをその手差し印刷用紙に印刷するのである。
こうして、この実施例によれば、原稿用紙に付された各ＲＦＩＤタグに固有な識別番号であるシリアル番号やアドレス番号などを活用して、再度印刷する際の印刷順序を１回目の読み取り時に登録した印刷順序に設定できるので、再度印刷時、例えば複数枚の原稿をセットする際に重ね順を誤っても正しい印刷順序で印刷することができる。また、固有な識別番号を持つＲＦＩＤタグ付きの手差し印刷用紙を給紙してその印刷用紙に対応する画像データを印刷できるので、例えば印刷用紙として機密を要する伝票を用いれば、保存されているその伝票の画像データを第３者が印刷できないようにすることができる。
【００２５】
「実施例２」
この実施例の画像情報装置では、実施例１の機能に加え、印刷順序の並べ替えを行うようにするか否かを設定する請求項３記載の並べ替え有効性設定手段を備え、設定が有効である場合のみページの並べ替えを行う。以下、図７に示した動作フロー図などによりこの実施例を説明する。なお、並べ替え有効性設定手段は操作パネル１１１内のキー（ボタン）とＣＰＵ１０５などから構成され、操作パネル１１１内のキー（ボタン）を用いて利用者があらかじめ設定指示を行い、ＣＰＵ１０５がその指示情報を取得して、その指示情報を不揮発性メモリ１１３に設定しておく。
図７に示したように、電源投入後（Ｓ２１）、まず、装置内部の初期設定を行い（Ｓ２２）、手動印刷モード設定状態に移行する（Ｓ２３）。
この後、印刷待機状態となり、その状態において、原稿台６５に原稿用紙を載置し、利用者が操作パネル１１１内のボタンを押下して印刷要求を行うと（Ｓ２４でＹｅｓ）、ＣＰＵ１０５の制御により１枚目の原稿用紙先端がピックアップローラ６７および給紙ローラ６８により搬送され（Ｓ２５）、ＲＦＩＤタグ読み取り装置８０を通過する。このとき、原稿用紙にＲＦＩＤタグが付されていた場合、ＲＦＩＤタグ読み取り装置８０との間で所定の通信プロトコルによりデータ授受が行われる（Ｓ２７）。なお、原稿用紙上のＲＦＩＤタグには、例えば、「画像が写真なので写真モードに設定を変える」旨の情報や、「コピー時に“社外秘”の文字を入れるように設定する」旨の情報など、原稿用紙上の画像に係る印刷モード設定情報が書き込まれている。また、前記した識別番号も書き込まれている。
一方、印刷用紙が給紙ローラ２６により給紙カセット３４〜３７中の指定されたカセットから搬送され（Ｓ２６）、その印刷用紙がＲＦＩＤタグ読み取り装置４０を通過すると、印刷用紙にＲＦＩＤタグが付されていた場合、ＲＦＩＤタグ読み取り装置４０との間で所定の通信プロトコルによりデータ授受が行われる（Ｓ２７）。なお、印刷用紙上のＲＦＩＤタグには、印刷用紙情報（例えば、紙厚、紙質、両面印刷）などが格納されており、それに基づいて印刷モードを変えたり、厚紙ならば定着温度を上げたりするのである。
こうして、当該複写ジョブの例えば原稿用紙４枚について少なくともＲＦＩＤタグ読み取り装置８０が所定のデータ授受に成功すると（Ｓ２８でＹｅｓ）、ＣＰＵ１０５は識別情報および印刷モード設定に必要なタグデータをＲＦＩＤタグ情報から取得し（Ｓ２９）、取得した印刷モードデータに基づいて印刷モード設定の内容を変更する（Ｓ３０）。
【００２６】
続いて、ＣＰＵ１０５は印刷順序の並べ替えを行うようにするか否か、つまり並べ替え処理が有効か否かを示す設定情報（指示情報）を不揮発性メモリ１１３から取得し、有効であれば（Ｓ３１でＹｅｓ）、取得した複数の識別番号、つまり識別番号セットが登録（記憶）されているか否かを確認する（Ｓ３２）。そして、登録されていなかった場合は（Ｓ３２でＮｏ）、取得した識別番号をそのときの読み取り順に並べた識別番号セットを印刷順序データとしてＲＡＭ１０７から不揮発性メモリ１１３に格納・登録する（Ｓ３４）。そして、読み取った画像データをプリンタ部５０ｂへ送り、読み取り順に自動印刷設定モードで印刷する（Ｓ３５）。
それに対して、例えば同一文書を再度印刷する必要があった場合などにおいて、再度スキャナ部５０ａにより画像を読み取るとともに原稿用紙上のＲＦＩＤタグから前記識別番号を取得し、ＣＰＵ１０５がその識別番号セットを不揮発性メモリ１１３内で検索したとき、既に登録されていたならば（Ｓ３２でＹｅｓ）、読み取った各ページの画像データを登録されている印刷順序データの順に並べ替え（Ｓ３３）、並べ替えられた印刷順序で画像データを自動印刷設定モードで印刷する（Ｓ３５）。
【００２７】
一方、ステップＳ２８において、ＲＦＩＤタグ読み取り装置８０が所定のデータ授受に失敗した場合には（Ｓ２８でＮｏ）、読み込んだ順序で手動印刷設定モードによる印刷を行い（Ｓ３５）、ステップＳ３１において、並べ替え処理が有効でなかった場合には（Ｓ３１でＮｏ）、読み込んだ順序で自動印刷設定モードによる印刷を行う（Ｓ３５）。
なお、前記において、ＲＦＩＤタグを原稿用紙のみに付け、ＲＦＩＤタグ読み取り装置８０のみ備える構成も可能である。また、動作フロー図には示していないが、この動作フローが終了した後に、ＣＰＵ１０５は印刷モード設定を手動印刷モード設定状態に戻しておく。
また、前記においては、登録の有効性も並べ替えの有効性とセットで設定したが、並べ替え有効性設定手段のほかに請求項２記載の登録有効性設定手段を同様にして実現し、２つの有効性を別々に設定する構成でもよい。
こうして、この実施例によれば、実施例１の機能に加え、印刷順序の並べ替えを行うようにするか否か、または識別番号セットを登録するか否かをあらかじめ設定できるので、利用者が並べ替えや登録を欲しないならば、それも可能である。
【００２８】
「実施例３」
この実施例の画像情報装置では、実施例１において、登録した識別番号セット中の一部を削除して、つまり一部を抽出して、実施例１と同様の印刷ができる。図８はこの実施例を示す説明図である。以下、図８などに従って、この実施例を説明する。なお、実施例１で説明した４ページの原稿用紙を印刷する場合を想定する。
４ページの原稿用紙上のＲＦＩＤタグには固有の識別番号が設定されており、ＲＦＩＤタグ読み取り装置８０はそのＲＦＩＤタグと通信することにより、この識別番号を含むＲＦＩＤタグ情報を読み出す。そして、ＣＰＵ１０５が原稿用紙４枚分の識別番号などを順次取得し、ＲＡＭ１０７に格納する。
続いて、ＣＰＵ１０５はＲＡＭ１０７に格納した識別番号セットが不揮発性メモリ１１３に登録されているか否かを確認し、登録されていなかった場合、ＲＡＭ１０７に記憶しておいた識別番号セットを読み取った順に不揮発性メモリ１１３に登録する（図８（ａ）参照）。また、そのとき読み取った画像データを読み取った順にプリンタ部５０ｂへ送り、印刷させる。
この実施例では、ここで、登録した識別番号セット中の一部のページを削除する。そのため、利用者が操作パネル１１１により削除するページを指定する。例えば、操作パネル１１１を用いた利用者の識別番号削除指示によりＣＰＵ１０５は図８（ａ）に示したような印刷順序データを表示させ、利用者がマウスなどにより削除するページを指定するのである。図８（ｂ）に示した例では識別番号（タグＩＤ）１００６５１が指定され、これにより、ＣＰＵ１０５は図８（ｂ）に示したような削除ステータス入りのテーブルを作成する。
その後、この文書を再度印刷する必要が生じたとき、再度スキャナ部５０ａにより画像を読み取ると共に、原稿用紙上からＲＦＩＤタグ情報を読み出し、ＣＰＵ１０５はその識別番号セットを取得し、ＲＡＭ１０７に順次格納する（図８（ｃ）参照）。そして、ＣＰＵ１０５が不揮発性メモリ１１３に登録されている識別番号セットを検索し、当該識別番号セットが登録されていたならば、各識別番号（ＩＤ番号）が印刷順に並んだ識別番号セットである印刷順序データを読み出し、そのとき読み込んだ画像データの順番をその印刷順序データに従って並べ替える。なお、その際、登録されていた当該識別番号セット中に削除ステータスの有効なページ（識別番号）があるか否かを判定し、有効（＝１）と設定されていたページは並べ替えた識別番号セット中から削除する（図８（ｄ）参照）。また、再印刷時に取得した識別番号と過不足なく一致する識別番号セットが登録されているか否かを判定する際には削除ステータスの付いた識別番号も有効にして判定する。
続いて、ＣＰＵ１０５は並べ替えられた画像データをプリンタ部５０ｂへ送り、印刷させる。
【００２９】
前記したように、この実施例では、登録されている印刷順序データに対して削除処理など編集処理を加えることができるが、印刷順序データの編集内容としては、印刷順序データ中から一部の識別番号を削除する前記した削除処理のほかに、他の識別番号を印刷順序データ中へ挿入する挿入処理、印刷順序データ中の識別番号の順番の入れ替えを行う入れ替え処理などが可能である。なお、挿入処理では当該識別番号に挿入ステータスを付け、再印刷時に取得した識別番号と過不足なく一致する識別番号セットが登録されているか否かを判定する際には、挿入ステータスの付いた識別番号は無視して判定する。
こうして、この実施例によれば、ある文書の印刷順序データを登録した後にその印刷順序データを編集した場合、再印刷時、登録時の原稿用紙の全ページを勝手な順番で読み込ませても、編集された印刷順序データに従って印刷される。
【００３０】
「実施例４」
この実施例の画像情報装置では、前記各実施例において、取得した識別番号セットに対応づけて累積印刷部数または印刷回数を記憶させることにより各識別番号セットに対応した文書（または個々のページ）の印刷数を管理する。例えば機密文書などの累積印刷部数があらかじめ設定した所定の部数に達したならば、それ以上は印刷させないようにしたりするのである。図９はこの実施例を示す動作フロー図である。以下、図９などによりこの実施例を説明する。
図９に示したように、電源投入後（Ｓ４１）、装置内部の初期設定を行い（Ｓ４２）、手動印刷モード設定状態に移行する（Ｓ４３）。
この後、印刷待機状態となり、その状態において、原稿台６５に原稿用紙を載置し、利用者が操作パネル１１１内のボタンを押下して印刷要求を行うと（Ｓ４４でＹｅｓ）、ＣＰＵ１０５の制御により１枚目の原稿用紙先端がピックアップローラ６７および給紙ローラ６８により搬送され（Ｓ４５）、ＲＦＩＤタグ読み取り装置８０を通過する。このとき、原稿用紙にＲＦＩＤタグが付されていた場合、ＲＦＩＤタグ読み取り装置８０との間で所定の通信プロトコルによりデータ授受が行われる（Ｓ４７）。なお、原稿用紙上のＲＦＩＤタグには、例えば、「画像が写真なので写真モードに設定を変える」旨の情報や、「コピー時に“社外秘”の文字を入れるように設定する」旨の情報など、原稿用紙上の画像に係る印刷モード設定情報が書き込まれている。また、前記した識別番号も書き込まれている。
一方、印刷用紙が給紙ローラ２６により給紙カセット３４〜３７中の指定されたカセットから搬送され（Ｓ４６）、その印刷用紙がＲＦＩＤタグ読み取り装置４０を通過すると、印刷用紙にＲＦＩＤタグが付されていた場合、ＲＦＩＤタグ読み取り装置４０との間で所定の通信プロトコルによりデータ授受が行われる（Ｓ４７．）。なお、印刷用紙上のＲＦＩＤタグには、印刷用紙情報（例えば、紙厚、紙質、両面印刷）などが格納されており、それに基づいて印刷モードを変えたり、厚紙ならば定着温度を上げたりするのである。
こうして、当該複写ジョブの例えば原稿用紙４枚について少なくともＲＦＩＤタグ読み取り装置８０が所定のデータ授受に成功すると（Ｓ４８でＹｅｓ）、ＣＰＵ１０５は識別情報および印刷モード設定に必要なタグデータをＲＦＩＤタグ情報から取得し（Ｓ４９）、取得した印刷モードデータに基づいて印刷モード設定の内容を変更する（Ｓ５０）。
【００３１】
続いて、ＲＦＩＤタグ情報中の印刷制限回数（読み取られた文書が機密文書の場合、このような情報をあらかじめ設定しておく）をＲＡＭ１０７に記憶すると共に、その印刷制限回数を不揮発性メモリ１１３に記憶している当該識別番号に対応づけられた印刷回数カウント値と比較し（Ｓ５１）、印刷回数カウント値が印刷制限回数を超過した場合（Ｓ５１でＹｅｓ）、印刷を行わずに処理を終了する。
それに対して、超過していなかった場合は（Ｓ５１でＮｏ）、不揮発性メモリ１１３内の印刷回数カウント値をカウントアップし（Ｓ５２）、印刷を実行する（Ｓ５３）。
なお、前記においては、不揮発性メモリ１１３に印刷回数カウント値を保存した例を説明したが、ＲＦＩＤタグ内の印刷回数制限データを印刷の度にカウントダウンした値に直接書き換えることにより、当該原稿用紙の印刷回数を制限することも可能である。
また、画像データを画像メモリ１０８に保存しておき、原稿用紙でなく手差し給紙の印刷用紙（転写紙）にＲＦＩＤタグを付し、ステップＳ４６以下を実行して、このＲＦＩＤタグから取得した識別番号に基づいて記憶されている画像データを手差し印刷用紙に印刷する場合も同様な印刷制限が可能である。
また、前記においては、個々の識別番号に対応づけて累積印刷部数または印刷回数を記憶手段に記憶させることにより各識別番号に対応した文書（または個々のページ）の印刷数を管理する構成としたが、識別番号セットに対応づけて累積印刷部数または印刷回数を記憶手段に記憶させることにより各識別番号セットに対応した文書の印刷数を管理する構成も可能である。
こうして、この実施例によれば、識別番号または識別番号セットに対応づけて累積印刷部数または印刷回数を記憶させるので、例えば機密文書などの累積印刷部数があらかじめ設定した所定の部数に達したならば、それ以上は印刷させないようにして、効果的な機密文書管理を行うことができる。
【００３２】
「実施例５」
この実施例の画像情報装置では、実施例４において、同機能を持った他の画像情報装置またはホストコンピュータと通信する通信インタフェースを備え、その通信インタフェースを介して通信することにより前記印刷部数または印刷回数を複数の画像情報装置との間で共有管理する。図１０はこの実施例を示す説明図である。以下、図１０などによりこの実施例を説明する。
この実施例では、実施例４において、このデジタル複写機や印刷装置など画像情報装置Ａ、Ｂ、Ｃ、…（図１０には装置Ａ、Ｂ、Ｃとして示す）はネットワーク上に接続されたホストコンピュータと通信する通信手段を備え（図１０参照）、ホストコンピュータは接続されている画像情報装置Ａ、Ｂ、Ｃ、…を検索し、各画像情報装置の内部情報（例えば識別番号ごとの累積印刷部数など）を管理する。各画像情報装置は実施例４に示したようにしてＲＦＩＤタグ情報に基づいて得た識別番号（または識別番号セット）ごとの累積印刷部数など内部情報を記憶しており、ホストコンピュータ側からの要求に応じてその内部情報を通知するのである。これにより、ホストコンピュータ内には図１０に示したような管理テーブルが作成される。
図１０に示した例では、例えば識別番号（タグＩＤ）＝２００２５の管理情報として、実行された累積印刷回数が、装置Ａでは２回、装置Ｂでは５回、装置Ｃでは１回、というように書き込まれ、あらかじめホストコンピュータの操作部により設定された印刷制限回数が１２回というようにテーブルに書き込まれている。図１０に示した例では、タグＩＤ＝６０４９９、７０８５１の原稿用紙は残回数が０であるので、どの画像情報装置においても印刷できないことを認識することができる。なお、ネットワーク上のホストコンピュータ・画像情報装置群で情報を共有して管理している。
また、図１０に示した例では、識別番号（タグＩＤ）に対応づけて累積印刷回数などを管理しているが、識別番号セットに対応づけて管理してもよい。
こうして、この実施例によれば、累積印刷回数などを１つの画像情報装置についてでなく、ネットワークを介して通信できる複数の画像情報装置の総数として求め、複数の画像情報装置で共有管理できるので、例えば機密文書などの累積印刷回数（または部数）の全装置における総計があらかじめ設定した所定の値に達したならば、どの画像情報装置においてもそれ以上は印刷させないようにして、より効果的な機密文書管理を行うことができる。
【００３３】
「実施例６」
この実施例の画像情報装置では、前記各実施例において、紙搬送経路上に配置された紙検知手段を備え、その紙検知手段により用紙が検知されるのを待ってＲＦＩＤタグ情報を読み取る。図１１はこのような実施例を示す動作フロー図である。以下、図１１などによりこの実施例を説明する。
図１１に示したように、電源投入後（Ｓ６１）、装置内部の初期設定を行い（Ｓ６２）、手動印刷モード設定状態に移行する（Ｓ６３）。
この後、印刷待機状態となり、その状態において、原稿台６５に原稿用紙を積置し、利用者が操作パネル１１１内のボタンを押下して印刷要求を行うと（Ｓ６４でＹｅｓ）、ＣＰＵ１０５の制御により１枚目の原稿用紙先端がピックアップローラ６７および給紙ローラ６８により搬送される（Ｓ６５）。また、印刷用紙が給紙ローラ２６により給紙カセット３４〜３７中の指定されたカセットから搬送される（Ｓ６６）。
続いて、紙検知センサとしても利用できる、原稿用紙についてはアライニングセンサ７０により、印刷用紙についてはレジストセンサ２８により（両方とも別に紙検知センサを設けてもよい）、各ＲＦＩＤタグ読み取り位置に用紙が達したかどうかを検知する（Ｓ６７）。そして、達していないならば達するまで待ち（用紙が検知されるまで待ち）（Ｓ６７でＮｏ→Ｓ６７）、達して用紙が検出されたならば（Ｓ６７でＹｅｓ）、原稿用紙については、ＲＦＩＤタグ読み取り装置８０の設置位置で、ＲＦＩＤタグ読み取り装置８０と原稿用紙上のＲＦＩＤタグとの間で所定の通信プロトコルによりデータ授受が行われる（Ｓ６８）。また、印刷用紙については、ＲＦＩＤタグ読み取り装置４０の設置位置で、ＲＦＩＤタグ読み取り装置４０と印刷用紙上のＲＦＩＤタグとの間で所定の通信プロトコルによりデータ授受が行われる（Ｓ６８）。なお、ステップＳ６７においていつまで経っても用紙が検知されなければ、動作フローはそこで停止状態になる。用紙が検知されないのにＲＦＩＤタグを検知するような場合は、偽のＲＦＩＤタグを付けて印刷させようとする行為と見なし、印刷を停止状態のままとするのである。
こうして、当該複写ジョブの例えば原稿用紙４枚について少なくともＲＦＩＤタグ読み取り装置８０が所定のデータ授受に成功すると（Ｓ６９でＹｅｓ）、ＣＰＵ１０５は識別情報および印刷モード設定に必要なタグデータをＲＦＩＤタグ情報から取得し（Ｓ７０）、取得した印刷モードデータに基づいて印刷モード設定の内容を変更する（Ｓ７１）。
【００３４】
続いて、ＲＦＩＤタグ情報中の印刷制限回数（読み取られた文書が機密文書の場合、このような情報をあらかじめ設定しておく）をＲＡＭ１０７に記憶すると共に、その印刷制限回数を不揮発性メモリ１１３に記憶している当該識別番号に対応づけられた印刷回数カウント値と比較し、超過していなかった場合は、不揮発性メモリ１１３内の印刷回数カウント値をカウントアップし（Ｓ７２）、印刷を実行する（Ｓ７３）。超過した場合は実施例４と同様に印刷を行わないでこの動作フローを終了する。
なお、前記においては、印刷回数をカウントする実施例４の場合で説明したが、前記した他の実施例に対してもこの実施例の方法を実施できる。
このように、この実施例によれば、用紙がＲＦＩＤタグ読み取り装置の位置まで来ないうちに読み取りが行われるのを回避でき、したがって、ＲＦＩＤタグ情報を正しく読み取ることができるし、偽のＲＦＩＤタグを付けて印刷させようとする行為を回避できる。
【００３５】
「実施例７」
この実施例の画像情報装置では、実施例６において、用紙が検知されたときにＲＦＩＤタグ情報を取得するモードと、用紙が検知されたか否かに関係なくＲＦＩＤタグ情報を取得するモードとを切り替える切替え手段を備える。以下、図１２に示した動作フロー図などによりこの実施例を説明する。なお、切替え手段は操作パネル１１１内のキー（ボタン）とＣＰＵ１０５などから構成され、操作パネル１１１内のキー（ボタン）を用いて利用者があらかじめモード選択を行い、ＣＰＵ１０５がその選択モード情報を取得し、その選択モード情報を不揮発性メモリ１１３に設定しておく。
図１２に示したように、電源投入後（Ｓ８１）、装置内部の初期設定を行い（Ｓ８２）、手動印刷モード設定状態に移行する（Ｓ８３）。
この後、印刷待機状態となり、その状態において、原稿台６５に原稿用紙を積置し、利用者が操作パネル１１１内のボタンを押下して印刷要求を行うと（Ｓ８４でＹｅｓ）、ＣＰＵ１０５の制御により１枚目の原稿用紙先端がピックアップローラ６７および給紙ローラ６８により搬送される（Ｓ８５）。また、印刷用紙が給紙ローラ２６により給紙カセット３４〜３７中の指定されたカセットから搬送される（Ｓ８６）。
続いて、ＣＰＵ１０５は不揮発性メモリ１１３に記憶されている選択モード情報を参照し、選択モードが用紙検知時のみＲＦＩＤタグ情報を取得するモードであった場合（Ｓ８７でＹｅｓ）、実施例６と同様の紙検知センサにより各ＲＦＩＤタグ読み取り位置に用紙が達しているか否かを検知する（Ｓ８８）。そして、用紙が検知されるまで待ち（Ｓ８８でＮｏ→Ｓ８８）、検知されたならば（Ｓ８８でＹｅｓ）、ステップＳ８９へ進む。それに対して、選択モードが用紙検知なしにＲＦＩＤタグ情報を取得するモードであった場合には（Ｓ８７でＮｏ）、用紙検知を行わず、直ちにステップＳ８９へ進む。
ステップＳ８９では、ＲＦＩＤタグ読み取り装置８０の設置位置では、ＲＦＩＤタグ読み取り装置８０と原稿用紙上のＲＦＩＤタグとの間で所定の通信プロトコルによりデータ授受が行われる。また、ＲＦＩＤタグ読み取り装置４０の設置位置では、ＲＦＩＤタグ読み取り装置４０と印刷用紙上のＲＦＩＤタグとの間で所定の通信プロトコルによりデータ授受が行われる。
こうして、当該複写ジョブの例えば原稿用紙４枚について少なくともＲＦＩＤタグ読み取り装置８０が所定のデータ授受に成功すると（Ｓ９０でＹｅｓ）、ＣＰＵ１０５は識別情報および印刷モード設定に必要なタグデータをＲＦＩＤタグ情報から取得し（Ｓ９１）、取得した印刷モードデータに基づいて印刷モード設定の内容を変更する（Ｓ９２）。
【００３６】
続いて、ＲＦＩＤタグ情報中の印刷制限回数（読み取られた文書が機密文書の場合、このような情報をあらかじめ設定しておく）をＲＡＭ１０７に記憶すると共に、その印刷制限回数を不揮発性メモリ１１３に記憶している当該識別番号に対応づけられた印刷回数カウント値と比較し、超過していなかった場合は、不揮発性メモリ１１３内の印刷回数カウント値をカウントアップし（Ｓ９３）、印刷を実行する（Ｓ９４）。超過した場合は実施例４と同様に印刷を行わないでこの動作フローを終了する。
なお、前記においては、印刷回数をカウントする実施例４の場合で説明したが、前記した他の実施例に対しても実施例７に示した方法を適用できる。
このように、この実施例によれば、用紙が検知されるのを待ってＲＦＩＤタグ情報を取得することもできるし、用紙検知をせずにＲＦＩＤタグ情報を取得することもできるので、例えば通常は前者のモードで動作させ、当該画像情報装置の開発時や保守の際などにおいては必要に応じて後者のモードで動作させて紙検知が機能しない状態でもＲＦＩＤタグとの通信を行わせるというような使い方が可能になる。
【００３７】
「実施例８」
この実施例の画像情報装置では、前記した各実施例において、画像情報装置の開口部（本体カバー部、給紙トレイ部、スキャナのカバー部など）の開放状態を検知する開口検知センサ（請求項１５記載の開口検知手段）を備え、開放状態が検知されている状態ではＲＦＩＤタグ情報を読み取らず、手動印刷モード設定によった印刷を行う。以下、図１３に示した動作フロー図などによりこの実施例を説明する。なお、切替え手段を備え、この機能を生かすか否かをあらかじめ選択することができる。切替え手段は操作パネル１１１内のキー（ボタン）とＣＰＵ１０５などから構成され、操作パネル１１１内のキー（ボタン）を用いて利用者があらかじめ機能選択を行い、ＣＰＵ１０５がその選択情報を取得し、その選択情報を不揮発性メモリ１１３に設定しておく。
図１３に示したように、電源投入後（Ｓ１０１）、装置内部の初期設定を行い（Ｓ１０２）、手動印刷モード設定状態に移行する（Ｓ１０３）。
この後、印刷待機状態となり、その状態において、原稿台６５に原稿用紙を積置し、利用者が操作パネル１１１内のボタンを押下して印刷要求を行うと（Ｓ１０４でＹｅｓ）、ＣＰＵ１０５の制御により１枚目の原稿用紙先端がピックアップローラ６７および給紙ローラ６８により搬送される（Ｓ１０５）。また、印刷用紙が給紙ローラ２６により給紙カセット３４〜３７中の指定されたカセットから搬送される（Ｓ１０６）。
続いて、ＣＰＵ１０５は不揮発性メモリ１１３に記憶されている選択情報を参照し、開口部検知を行うという選択であった場合（Ｓ１０７でＹｅｓ）、開口検知センサにより開口部のいずれかが開放状態になっているか否かを検知する（Ｓ１０８）。そして、いずれかが開放状態になっていたならば（Ｓ１０８でＹｅｓ）、ＲＦＩＤタグ情報の読み取りを行うことなく、手動印刷モード設定によった印刷を行う（Ｓ１１４）。
【００３８】
それに対して、いずれも開放状態でなかったならば（Ｓ１０８でＮｏ）、ＲＦＩＤタグ読み取り装置８０の設置位置では、ＲＦＩＤタグ読み取り装置８０と原稿用紙上のＲＦＩＤタグとの間で所定の通信プロトコルによりデータ授受が行われる（Ｓ１０９）。また、ＲＦＩＤタグ読み取り装置４０の設置位置では、ＲＦＩＤタグ読み取り装置４０と印刷用紙上のＲＦＩＤタグとの間で所定の通信プロトコルによりデータ授受が行われる（Ｓ１０９）。
こうして、当該複写ジョブの例えば原稿用紙４枚について少なくともＲＦＩＤタグ読み取り装置８０が所定のデータ授受に成功すると（Ｓ１１０でＹｅｓ）、ＣＰＵ１０５は識別情報および印刷モード設定に必要なタグデータをＲＦＩＤタグ情報から取得し（Ｓ１１１）、取得した印刷モードデータに基づいて印刷モード設定の内容を変更する（Ｓ１１２）。
続いて、ＲＦＩＤタグ情報中の印刷制限回数（読み取られた文書が機密文書の場合、このような情報をあらかじめ設定しておく）をＲＡＭ１０７に記憶すると共に、その印刷制限回数を不揮発性メモリ１１３に記憶している当該識別番号に対応づけられた印刷回数カウント値と比較し、超過していなかった場合は、不揮発性メモリ１１３内の印刷回数カウント値をカウントアップし（Ｓ１１３）、印刷を実行する（Ｓ１１４）。超過した場合は実施例４と同様に印刷を行わないでこの動作フローを終了する。
なお、前記においては、印刷回数をカウントする実施例４の場合で説明したが、前記した他の実施例に対しても実施例８に示した方法を適用できる。
このように、この実施例によれば、開口部のいずれかが開放状態のときにはＲＦＩＤタグ情報を読み取らず、手動印刷モード設定によった印刷を行うようにすることができるので、例えば当該画像情報装置の開発時や保守の際などに開口部を開放した状態で作業している場合は、ＲＦＩＤタグ情報を読み取らずに印刷するモードが自動的に選択されるようにでき、したがって、作業しやすい環境を手を煩わせずにつくることができる。
【００３９】
「実施例９」
この実施例の画像情報装置では、前記した各実施例において、手動印刷モード設定と自動印刷モード設定のいずれかを選択する選択手段を備え、その選択手段により自動印刷モード設定が選択されているときだけＲＦＩＤタグ情報に基づいてジョブ単位の印刷を行う。そのため、まず、ＣＰＵ１０５は操作パネル１１１により手動印刷モード設定（この実施例では手動印刷モードの内容は固定とする）か自動印刷モード設定かを選択させるための表示を行い、表示に基づいて利用者がどちらかを選択すると、選択情報を不揮発性メモリ１１３に書き込む。そして、印刷要求に基づく印刷動作の度に不揮発性メモリ１１３から前記選択情報を読み出し、手動印刷モード設定の場合は、ＲＦＩＤタグとの通信による印刷モードの設定を行わずに印刷を実行する。また、自動印刷モード設定の場合は、ＲＦＩＤタグとの通信により読み出した印刷モード情報に基づく自動設定に切り替えて動作させる。以下、図１４などによりこの実施例の動作フローを説明する。
【００４０】
図１４に示したように、電源投入後（Ｓ１２１）、装置内部の初期設定を行い（Ｓ１２２）、手動印刷モード設定状態に移行する（Ｓ１２３）。
この後、印刷待機状態となり、その状態において、原稿台６５に原稿用紙を積置し、利用者が操作パネル１１１内のボタンを押下して印刷要求を行うと（Ｓ１２４でＹｅｓ）、ＣＰＵ１０５の制御により１枚目の原稿用紙先端がピックアップローラ６７および給紙ローラ６８により搬送される（Ｓ１２５）。また、印刷用紙が給紙ローラ２６により給紙カセット３４〜３７中の指定されたカセットから搬送される（Ｓ１２６）。
続いて、ＣＰＵ１０５は不揮発性メモリ１１３に記憶されている選択情報を参照し、選択情報が手動印刷モード設定を示しておれば（Ｓ１２７でＹｅｓ）、ＲＦＩＤタグとの通信による印刷モードの設定を行わずに印刷を実行する（Ｓ１３４）。
それに対して、自動印刷モード設定の場合は（Ｓ１２７でＮｏ）、実施例６と同様の紙検知センサにより各ＲＦＩＤタグ読み取り位置に用紙が達しているか否かを検知する（Ｓ１２８）。そして、達していなければ、用紙が達して検知されるまで待ち（Ｓ１２８でＮｏ→Ｓ１２８）、検知されたならば（Ｓ１２８でＹｅｓ）、ＲＦＩＤタグ読み取り装置８０の設置位置では、ＲＦＩＤタグ読み取り装置８０と原稿用紙上のＲＦＩＤタグとの間で所定の通信プロトコルによりデータ授受が行われる（Ｓ１２９）。また、ＲＦＩＤタグ読み取り装置４０の設置位置では、ＲＦＩＤタグ読み取り装置４０と印刷用紙上のＲＦＩＤタグとの間で所定の通信プロトコルによりデータ授受が行われる（Ｓ１２９）。
こうして、当該複写ジョブの例えば原稿用紙４枚について少なくともＲＦＩＤタグ読み取り装置８０が所定のデータ授受に成功すると（Ｓ１３０でＹｅｓ）、ＣＰＵ１０５は識別情報および印刷モード設定に必要なタグデータをＲＦＩＤタグ情報から取得し（Ｓ１３１）、取得した印刷モードデータに基づいて印刷モード設定の内容を変更する（Ｓ１３２）。
【００４１】
続いて、ＲＦＩＤタグ情報中の印刷制限回数をＲＡＭ１０７に記憶すると共に、その印刷制限回数を不揮発性メモリ１１３に記憶している当該識別番号に対応づけられた印刷回数カウント値と比較し、超過していなかった場合は、不揮発性メモリ１１３内の印刷回数カウント値をカウントアップし（Ｓ１３３）、印刷を実行する（Ｓ１３４）。超過した場合は実施例４と同様に印刷を行わないでこの動作フローを終了する。
一方、ステップＳ１３０において、通信失敗と判定された場合には（Ｓ１３０でＮｏ）、手動印刷モード設定で印刷を行う（Ｓ１３４）。
なお、前記においては、印刷回数をカウントする実施例４の場合で説明したが、前記した他の実施例に対しても実施例９に示した方法を適用できる。
また、ステップＳ１２７において、この画像情報装置の各開口部に配置した開放検知センサにより開放されているか否かを検知し、どこも開放されていない状態では自動印刷モード設定とし、どこかのセンサが開放状態を検知した場合は手動印刷モード設定として、このステップの判定を行う構成も可能である。
こうして、この実施例によれば、各実施例において、手動印刷モード設定と自動印刷モード設定のいずれかを選択でき、自動印刷モード設定が選択されているときにＲＦＩＤタグ情報によった印刷を行うので、利用者は状況に応じて所望の印刷モード設定を選択することにより、ＲＦＩＤタグ情報によった印刷を行うこともできるし、手動設定によった印刷を行うこともできる。
【図面の簡単な説明】
【００４２】
【図１】本発明の一実施形態を示すデジタル複写機の概略断面図である。
【図２】本発明の一実施形態を示すデジタル複写機要部の構成ブロック図である。
【図３】本発明の一実施形態を示すデジタル複写機要部の詳細ブロック図である。
【図４】本発明の一実施形態を示すデジタル複写機要部の平面図である。
【図５】本発明の第１の実施例を示すデジタル複写機要部の動作説明図である。
【図６】本発明の第１の実施例を示すデジタル複写機要部の動作フロー図である。
【図７】本発明の第２の実施例を示すデジタル複写機要部の動作フロー図である。
【図８】本発明の第３の実施例を示すデジタル複写機要部の動作説明図である。
【図９】本発明の第４の実施例を示すデジタル複写機要部の動作フロー図である。
【図１０】本発明の第５の実施例を示すデジタル複写機に係る説明図である。
【図１１】本発明の第６の実施例を示すデジタル複写機要部の動作フロー図である。
【図１２】本発明の第７の実施例を示すデジタル複写機に係るフロー図である。
【図１３】本発明の第８の実施例を示すデジタル複写機要部の動作フロー図である。
【図１４】本発明の第９の実施例を示すデジタル複写機要部の動作フロー図である。
【符号の説明】
【００４３】
２８    レジストセンサ
３７    手差しテーブル
４０    ＲＦＩＤタグ読み取り部
５０ａ  スキャナ部
５０ｂ  プリンタ部
６８    給紙ローラ
７０    アライニングセンサ
８０    ＲＦＩＤタグ読み取り部
１０５    ＣＰＵ
１０６    ＲＯＭ
１０７    ＲＡＭ
１０８    画像メモリ
１１１    操作パネル
１１３    不揮発性メモリ
２４０    表示パネル
【図１】
2005319672.tif 000003
【図２】
2005319672.tif 000004
【図３】
2005319672.tif 000005
【図４】
2005319672.tif 000006
【図５】
2005319672.tif 000007
【図６】
2005319672.tif 000008
【図７】
2005319672.tif 000009
【図８】
2005319672.tif 000010
【図９】
2005319672.tif 000011
【図１０】
2005319672.tif 000012
【図１１】
2005319672.tif 000013
【図１２】
2005319672.tif 000014
【図１３】
2005319672.tif 000015
【図１４】
2005319672.tif 000016